(57)【要約】【課題】外壁の不陸により生じる竪樋支持具の前後方向のずれを吸収することができる、竪樋支持構造を提供する。【解決手段】竪樋支持構造は、竪樋５から外壁６に向かう方向に突出する結合部４と、外壁６に固定され結合部４と結合する竪樋支持具１と、を備える。竪樋支持具１は、固定部２と、嵌め込み部３と、を有する。嵌め込み部３は、基部３１と、基部３１の外壁６と平行となる第一の方向の両側から竪樋５に向かう方向に突出する一対の支持部３２と、を備える。支持部３２には、第一の方向の支持部３２が対向する方向に突出し、複数の係合爪３３が並設される。結合部４は、基台部４１と、基台部４１の第一の方向の両側から外壁６の方向に突出する被支持部４２と、を備える。被支持部４２には、第一の方向の支持部３２と対向する方向に突出し、係合爪３３と係合する複数の被係合爪４３が並設されることを特徴とする。【選択図】図１
2015004243.tif 000002
【特許請求の範囲】
【請求項１】
竪樋の建物の外壁側に設けられ前記竪樋から前記外壁に向かう方向に突出する結合部と、前記外壁に固定され前記結合部と結合し前記竪樋を支持する竪樋支持具と、を備える竪樋支持構造であって、
前記竪樋支持具は、前記外壁に固定される固定部と、前記結合部が嵌め込まれる嵌め込み部と、を有し、
前記嵌め込み部は、前記固定部側に設けられる基部と、前記基部の前記外壁と平行となる第一の方向の両側から前記竪樋に向かう方向に突出する一対の支持部と、を備え、
前記支持部には、前記第一の方向の前記支持部が対向する方向に突出し、前記外壁から前記竪樋に向かう方向に複数配設される係合爪が並設され、
前記結合部は、前記竪樋から連設される基台部と、前記基台部の前記第一の方向の両側から前記外壁に向かう方向に突出する被支持部と、を備え、
前記被支持部には、前記第一の方向の前記支持部と対向する方向に突出し、前記竪樋から前記外壁に向かう方向に複数配設され、前記係合爪と係合する被係合爪が並設されることを特徴とする竪樋支持構造。
【請求項２】
前記支持部は、前記係合爪と前記被係合爪との係合を解除するため、前記第一の方向の前記支持部が対向する方向とは逆方向に突出する引張部を備えたことを特徴とする請求項１記載の竪樋支持構造。
【発明の詳細な説明】
【技術分野】
【０００１】
本発明は、竪樋支持構造に関するものである。
【背景技術】
【０００２】
従来から、竪樋に被支持部を備え、被支持部と係合する支持部を有し、支持部に取付けられる固定具を介して建物の外壁に固定される、竪樋支持具を備えた竪樋支持構造が知られている（例えば特許文献１参照）。
【先行技術文献】
【特許文献】
【０００３】
【特許文献１】特開２０００−３４８１１号公報
【発明の概要】
【発明が解決しようとする課題】
【０００４】
ところで、竪樋支持具は、上下方向に一列になり竪樋の被支持部と対向するように外壁に固定される。しかし、外壁に凹凸があり不陸となっていると、竪樋支持具を外壁に固定する際、竪樋支持具が前後方向にずれてしまう場合があった。特許文献１に記載されている発明では、前後方向のずれが生じたまま竪樋支持具を取付けると、竪樋が湾曲してしまう。竪樋が湾曲すると、湾曲を元に戻そうとする力が竪樋に発生し、竪樋支持具を損傷してしまう虞があった。
【０００５】
本発明は上記従来の問題点に鑑みて発明したものであって、その目的とするところは、外壁の不陸による、竪樋支持具を固定した際に生じる前後方向のずれを吸収できる、竪樋支持構造を提供することを課題とするものである。
【課題を解決するための手段】
【０００６】
上記課題を解決するために、本発明は、以下のような構成とする。
【０００７】
竪樋の建物の外壁側に設けられ前記竪樋から前記外壁に向かう方向に突出する結合部と、前記外壁に固定され前記結合部と結合し前記竪樋を支持する竪樋支持具と、を備える竪樋支持構造であって、前記竪樋支持具は、前記外壁に固定される固定部と、前記結合部が嵌め込まれる嵌め込み部と、を有し、前記嵌め込み部は、前記固定部側に設けられる基部と、前記基部の前記外壁と平行となる第一の方向の両側から前記竪樋に向かう方向に突出する一対の支持部と、を備え、前記支持部には、前記第一の方向の前記支持部が対向する方向に突出し、前記外壁から前記竪樋に向かう方向に複数配設される係合爪が並設され、前記結合部は、前記竪樋から連設される基台部と、前記基台部の前記第一の方向の両側から前記外壁に向かう方向に突出する被支持部と、を備え、前記被支持部には、前記第一の方向の前記支持部と対向する方向に突出し、前記竪樋から前記外壁に向かう方向に複数配設され、前記係合爪と係合する被係合爪が並設されることを特徴とする。
【０００８】
また、前記支持部は、前記係合爪と前記被係合爪との係合を解除するため、前記第一の方向の前記支持部が対向する方向とは逆方向に突出する引張部を備えたことが好ましい。
【発明の効果】
【０００９】
本発明の竪樋支持構造は、竪樋支持具の支持部に外壁から竪樋に向かう方向に複数の係合爪が並設され、結合部の被支持部に竪樋から外壁に向かう方向に複数の被係合爪が並設される。そして、支持部の内部に被支持部を押し込むことにより、係合爪と被係合爪が係合される。係合爪と被係合爪とが係合する位置は、任意に選ぶことが可能である。これにより、外壁の不陸により生じる竪樋支持具の前後方向のずれを、係合爪と被係合爪とが係合する位置を調節することで、吸収することができる。
【図面の簡単な説明】
【００１０】
【図１】本発明の第一の実施形態の平面視の断面図である。
【図２】本発明の第一の実施形態の側面図である。
【図３】本発明の第二の実施形態の平面視の断面図である。
【発明を実施するための形態】
【００１１】
竪樋支持構造は、竪樋５の建物の外壁６側に設けられ竪樋５から外壁６に向かう方向に突出する結合部４と、外壁６に固定され結合部４と結合し竪樋５を支持する竪樋支持具１と、を備える。竪樋支持具１は、外壁６に固定される固定部２と、結合部４が嵌め込まれる嵌め込み部３と、を有する。嵌め込み部３は、固定部２側に設けられる基部３１と、基部３１の外壁６と平行となる第一の方向の両側から竪樋５に向かう方向に突出する一対の支持部３２と、を備える。支持部３２には、第一の方向の支持部３２が対向する方向に突出し、外壁６から竪樋５に向かう方向に複数配設される係合爪３３が並設される。結合部４は、竪樋５から連設される基台部４１と、基台部４１の第一の方向の両側から外壁６に向かう方向に突出する被支持部４２と、を備える。被支持部４２には、第一の方向の支持部３２と対向する方向に突出し、竪樋５から外壁６に向かう方向に複数配設され、係合爪３３と係合する被係合爪４３が並設されることを特徴とする。
【００１２】
支持部３２は、係合爪３３と被係合爪４３との係合を解除するため、第一の方向の支持部３２が対向する方向とは逆方向に突出する引張部３４を備えることが好ましい。
【００１３】
以下、本発明の第一の実施形態について図１及び図２に基づいて説明する。
【００１４】
竪樋支持構造は、竪樋５の建物の外壁６側に設けられ竪樋５から外壁６に向かう方向に突出する結合部４と、外壁６に固定され結合部４と結合し竪樋５を支持する竪樋支持具１と、を備える。ここで、竪樋５から外壁６へ向かう方向を前方向、外壁６から竪樋５へ向かう方向を後方向とする。そして、竪樋５から外壁６の方を向いて、右側を右方向とし、左側を左方向とする。
【００１５】
竪樋支持具１は、外壁６に固定される固定部２と、結合部４が嵌め込まれる嵌め込み部３と、を有する。竪樋支持具１は、射出成型により、固定部２と嵌め込み部３とが一体に設けられるのが好ましいが、特に限定されない。
【００１６】
固定部２は、本実施形態では、図１に示すように、平面視Ｕ字状となり、そして図２に示すように、上下方向に高さを有する。固定部２は、本実施形態では、固定部２の後側端部に開口を有する。そして、固定部２は、本実施形態では、固定部２の開口と連通する内部空間２１を有する。固定部２は、本実施形態では、樹脂で形成されるが、材質は特に限定されない。固定部２は、固定部２の前側端部に竪樋支持具１が外壁６に固定されるための固定孔２２を有する。固定孔２２は、内部空間２１と連通する。
【００１７】
固定孔２２は、本実施形態では、図１及び図２に示すように、固定部２の前側端部の上下左右方向の略中心に設けられるが、固定孔２２の位置は特に限定されない。固定孔２２には固定具２３が挿通される。固定具２３は、内部空間２１を挿通し、固定孔２２に至り、外壁６に取付けられる。
【００１８】
嵌め込み部３は、固定部２側に設けられる基部３１と、基部３１の外壁６と平行となる第一の方向として左右方向の両側から竪樋５に向かう方向に突出する一対の支持部３２と、を備える。嵌め込み部３は、本実施形態では、樹脂で形成されるが、材質は特に限定されない。
【００１９】
基部３１は、本実施形態では、固定部２の後側端部から支持部３２が対向する方向とは逆方向に連設される。なお、固定部２と基部３１は別体として設けられ、接着剤等で接合されてもよい。基部３１は、固定部２の内部空間２１と連通する連通孔３１ａを有する。
【００２０】
連通孔３１ａは、固定具２３が固定孔２２まで挿通し易い形状と大きさであることが好ましい。
【００２１】
支持部３２は、本実施形態では、図１に示すように、基部３１の左右方向の両端部から後方向に突出する。支持部３２には、左右方向の支持部３２が対向する方向に突出し、外壁６から竪樋５に向かう方向に複数配設される係合爪３３が並設される。
【００２２】
係合爪３３は、左右の支持部３２に左右対称に設けられる。係合爪３３は、本実施形態では、図１に示すように、左右の支持部３２に設けられる数は１０個（左に５個、右に５個）となるが、その数は特に限定されない。係合爪３３は、図１に示すように、係合爪３３の竪樋５側の端部から前方向に行く程左右方向の支持部３２が対向する方向に位置するように傾斜する係合爪側傾斜部３３ａを備える。係合爪３３は、係合爪側傾斜部３３ａの外壁６側端部から支持部３２まで連設する係合爪側垂直部３３ｂを備える。
【００２３】
結合部４は、本実施形態では、図１に示すように、平面視略Ｃ字状をしているが、その形状は特に限定されない。結合部４は、本実施形態では、図２に示すように、複数の結合部４が竪樋５の上下方向に隣り合う結合部４の間に間隙を有して振動溶着により取付けられる。なお、結合部４は、竪樋５の上下方向の全長に亘って押出成型により竪樋５と一体に設けられてもよい。
【００２４】
結合部４は、竪樋５から連設される基台部４１と、基台部４１の左右方向の両側から外壁６に向かう方向に突出する被支持部４２と、を備える。
【００２５】
本実施形態では、図１に示すように、基台部４１の両側端部から一対の被支持部４２が設けられている。なお、一対の被支持部４２ではなく、被支持部４２が基台部４１から外壁６側へ突設されてもよい。被支持部４２には、本実施形態では、左右方向の支持部３２と対向する方向に突出し、竪樋５から外壁６に向かう方向に複数配設され、係合爪３３と係合される被係合爪４３が並設される。
【００２６】
被係合爪４３は、左右の被支持部４２に左右対称に設けられる。被係合爪４３は、本実施形態では、図１に示すように、左右の被支持部４２に設けられる数は１０個（左に５個、右に５個）となるが、その数は限定されない。被係合爪４３は、図１に示すように、被係合爪４３の外壁６側である端部から後方向に行く程左右方向の被支持部４２が支持部３２と対向する方向に位置するように傾斜する被係合爪側傾斜部４３ａを備える。被係合爪４３は、被係合爪側傾斜部４３ａの竪樋５側端部から被支持部４２まで連設される被係合爪側垂直部４３ｂを備える。
【００２７】
結合部４を竪樋支持具１に押し込む際、被係合爪４３の被係合爪側傾斜部４３ａと係合爪３３の係合爪側傾斜部３３ａは夫々傾斜しているので、結合部４を竪樋支持具１に押し込み易くなる。結合部４を竪樋支持具１に押し込むと、係合爪３３の係合爪側垂直部３３ｂと被係合爪４３の被係合爪側垂直部４３ｂとが当接し、係合爪３３と被係合爪４３とが係合するので、竪樋支持具１から結合部４が引抜き難くなる。
【００２８】
上記した竪樋支持具１と竪樋５を外壁６の外壁に固定するその施工手順について説明する。作業者は、固定具２３を、基部３１の連通孔３１ａと固定部２の内部空間２１と固定孔２２とに挿通させ、外壁６に取付けることにより、竪樋支持具１を外壁６に固定する。このとき、竪樋支持具１が外壁６の上下方向に一列に配設されるようにする。作業者は、竪樋支持具１の嵌め込み部３と竪樋５の結合部４とを結合し、竪樋５を外壁６に固定する。このとき、外壁６に凹凸があり不陸となっていると、竪樋支持具１を外壁６に固定する際、竪樋支持具１が前後方向にずれてしまう。しかし、本実施形態の竪樋支持具１と結合部４には、支持部３２に係合爪３３と被支持部４２に被係合爪４３が前後方向に複数配設されている。作業者は、竪樋５が前後方向に湾曲しないように、係合爪３３と被係合爪４３が係合する位置を調節し、係合爪３３と被係合爪４３とを係合させ、竪樋支持具１と竪樋５とを固定させる。次に、呼び樋（図示せず）と竪樋５の上端との間にエルボ（図示せず）を配設し、呼び樋と竪樋５とを接続する。そして、排水筒と竪樋５の下端との間に排水管カバー（図示せず）を配設し、排水筒と竪樋５とを接続する。
【００２９】
上記した竪樋支持構造を用いることにより、外壁６に凹凸があり不陸となっており、竪樋５が外壁６に前後方向に湾曲して固定されたとしても、係合爪３３と被係合爪４３とが係合する位置を調節すると、前後方向のずれを吸収できる。そして、係合爪３３と被係合爪４３に係合爪側傾斜部３３ａと被係合爪側傾斜部４３ａが設けられることにより、結合部４を嵌め込み部３に押し込み易くすることができる。更に、係合爪３３と被係合爪４３に係合爪側垂直部３３ｂと被係合爪側垂直部４３ｂとが設けられることにより、嵌め込み部３から結合部４を引き抜き難くすることができる。
【００３０】
なお、嵌め込み部３と結合部４は以下に示す構成であってもよい。基台部４１の左右方向の両側から一対の被支持部４２が外壁６に向かう方向に突出すると共に、基部３１の左右方向の両側から支持部３２が竪樋５に向かう方向に突出する。そして、被係合爪４３が、左右方向の被支持部４２が対向する方向に突出すると共に、係合爪３３が、左右方向の被支持部４２と対向する方向に突出する。この構成では、嵌め込み部３が結合部４の内部に嵌め込まれることになる。なお、係合爪側傾斜部３３ａ、係合爪側垂直部３３ｂ、被係合爪側傾斜部４３ａ、被係合爪側垂直部４３ｂ、の形状は変わらない。
【００３１】
次に、第二の実施形態について図３に基づいて説明する。第二の実施形態は、第一の実施形態の変形例であり、第一の実施形態と同じ部分については同符号を付して説明を省略する。
【００３２】
支持部３２は、係合爪３３と被係合爪４３との係合を解除するため、左右方向の支持部３２が対向する方向とは逆方向に突出する引張部３４を備える。
【００３３】
結合部４を嵌め込み部３に押し込み過ぎた場合や、嵌め込み部３から結合部４を引抜きたい場合、結合部４を後方向に引くことになる。ここで、そのまま後方向に引いたのでは、被係合爪４３が係合爪３３と係合しているため、引抜き難く、最悪の場合係合爪３３と被係合爪４３が破損してしまう虞がある。そこで、支持部３２を左右方向の支持部３２が対向する方向とは逆方向に引張る。そして、左右の支持部３２を支持部３２が対向する方向とは逆方向に拡張させることにより、嵌め込み部３から結合部４を引抜いていた。しかし、支持部３２を持つ際、左右の支持部３２の上下の端部を持つことになるが、左右夫々の支持部３２の左右方向の幅は狭いため、持ち難いものであった。そのため、本実施形態では、支持部３２の上下方向の全長に亘って引張部３４を設けている。なお、引張部３４は、支持部３２の上下方向の一部に設けられてもよく、支持部３２の上下方向の全長に亘って設けられなくともよい。
【００３４】
これにより、引張部３４を指で摘み、引張部３４を左右方向の支持部３２が対向する方向とは逆方向に引張ることで、支持部３２を支持部３２が対向する方向とは逆方向に容易に拡張させることができる。
【００３５】
なお、上記した嵌め込み部３が結合部４の内部に嵌め込まれる構成とした場合、引張部３４は、被支持部４２から左右方向の被支持部４２が対向する方向とは逆方向に突出させる。
【符号の説明】
【００３６】
１    竪樋支持具
２    固定部
３    嵌め込み部
４    結合部
５    竪樋
６    外壁
【図１】
2015004243.tif 000003
【図２】
2015004243.tif 000004
【図３】
2015004243.tif 000005